(57)【特許請求の範囲】
【請求項１】
第１と第２の下階建物ユニットを並置し、これら下階建物ユニットのそれぞれの上に第１と第２の上階建物ユニットのそれぞれを搭載し、それら下階建物ユニットにそれら上階建物ユニットを接合してなるユニット建物において、
第１と第２の下階建物ユニットのそれぞれの上部にガイドピンを備え、第１と第２の上階建物ユニットのそれぞれの下部に上記ガイドピンが挿通し得るガイドピン挿通孔を備えるとともに、第１と第２の下階建物ユニットのそれぞれの上部に添設されて上記ガイドピンが挿通し得るピン挿通孔を備えた接合板を用い、
第１と第２の下階建物ユニットのそれぞれの側面にくびれ部付き突起部を設けるとともに、それら下階建物ユニットのそれぞれに設けた各突起部のくびれ部に係着し得る一対の係合部を備えた接合金物を用い、
第１と第２の上階建物ユニットのそれぞれの側面にくびれ部付き突起部を設けるとともに、それら上階建物ユニットのそれぞれに設けた各突起部のくびれ部に係着し得る一対の係合部を備えた接合金物を用い、
第１と第２の下階建物ユニットの間に接合金物を差し込み、接合金物の両係合部のそれぞれを第１と第２の下階建物ユニットの各突起部のくびれ部に係着するとともに、第１と第２の下階建物ユニットの上部に接合板を添設し、該接合板のピン挿通孔を両下階建物ユニットの上部のガイドピンに挿通し、該接合板の両側端部を両下階建物ユニットの上部に釘打ち固定し、
第１と第２の上階建物ユニットを接合板を挟んで第１と第２の下階建物ユニットの上に搭載し、両上階建物ユニットのガイドピン挿通孔を両下階建物ユニットの上部のガイドピンに挿通するとともに、第１と第２の上階建物ユニットの間に接合金物を差し込み、接合金物の両係合部のそれぞれを第１と第２の上階建物ユニットの各突起部のくびれ部に係着した状態で、それらの両接合金物を連結ボルトで締結してなることを特徴とするユニット建物。
【請求項２】
前記建物ユニットが壁パネルを有し、この壁パネルの枠組材の側部に柱を備え、柱の上部にガイドピンを備えてなり、
前記接合板の両側端部が壁パネルの枠組材に釘打ち固定されてなる請求項１記載のユニット建物。
【請求項３】
前記建物ユニットが壁パネルを有し、この壁パネルの枠組材の側部に柱を備え、柱の上部にガイドピンを備えてなり、
前記接合板の両側端部が柱の上端面に釘打ち固定されてなる請求項１記載のユニット建物。
【請求項４】
前記接合板が第１と第２の下階建物ユニットの柱の間に差し込まれる柱間隔設定部を備え、この柱間隔設定部によりそれら両下階建物ユニットの柱間隔を設定可能としてなる請求項２又は３に記載のユニット建物。
【発明の詳細な説明】
【０００１】
【発明の属する技術分野】
本発明は壁パネルの接合構造及びユニット建物に関する。
【０００２】
【従来の技術】
本出願人は、特願平10-102920 号において、柱を側部に備えるとともに、該柱の上部にガイドピンを備えてなる壁パネルを並べて接合する壁パネルの接合構造を提案している。この先願技術では、第１と第２の下階建物ユニットのそれぞれの壁パネルが備える柱の上部に接合板を添設し、該接合板の両側のピン挿通孔を両壁パネルの柱の上部のガイドピンに挿通し、両下階建物ユニット間の水平方向の力を伝えるようにしている。そして、この先願技術では、第１と第２の上階建物ユニットを接合板を挟んで上述の第１と第２の下階建物ユニットの上に搭載し、両上階建物ユニットのそれぞれの壁パネルが備える柱の下部のガイドピン挿通孔を両下階建物ユニットの上述のガイドピンに挿通し、両上階建物ユニットの位置決めを図るとともに、両上階建物ユニット間の水平方向の力を伝えるようにしている。
【０００３】
【発明が解決しようとする課題】
然しながら、従来技術では、接合板を第１と第２の下階建物ユニットのそれぞれの壁パネルが備える柱の上部に添設するに際し、接合板は両側のピン挿通孔を両壁パネルの柱の上部のガイドピンに挿通してあるだけに過ぎない。このため、接合板は、両壁パネルのガイドピンに対し自在に相対回転でき、結果として、両壁パネルの通りを一直線上に納めることに困難がある。
【０００４】
また、従来技術では、第１と第２の下階建物ユニットの据付時に、それら両下階建物ユニットの据付間隔が予め定めた一定値と異なっていると、接合板の両側のピン挿通孔を両壁パネルのガイドピンに挿通することに困難を伴う。
【０００５】
本発明の課題は、壁パネルの接合構造において、相隣る両壁パネルの通りを簡易に一直線上に納めることにある。
【０００６】
また、本発明の課題は、壁パネルの接合構造において、相隣る両壁パネルの据付間隔を予め定めた一定値に設定するとともに、相隣る両壁パネルの通りを簡易に一直線上に納めることにある。
【０００７】
また、本発明の課題は、ユニット建物において、相隣る両建物ユニットの通りを簡易に一直線上に納めることにある。
【０００８】
また、本発明の課題は、ユニット建物において、相隣る両建物ユニットの据付間隔を予め定めた一定値に設定するとともに、相隣る両建物ユニットの通りを簡易に一直線上に納めることにある。
【００１１】
【課題を解決するための手段】
請求項１に記載の本発明は、第１と第２の下階建物ユニットを並置し、これら下階建物ユニットのそれぞれの上に第１と第２の上階建物ユニットのそれぞれを搭載し、それら下階建物ユニットにそれら上階建物ユニットを接合してなるユニット建物において、第１と第２の下階建物ユニットのそれぞれの上部にガイドピンを備え、第１と第２の上階建物ユニットのそれぞれの下部に上記ガイドピンが挿通し得るガイドピン挿通孔を備えるとともに、第１と第２の下階建物ユニットのそれぞれの上部に添設されて上記ガイドピンが挿通し得るピン挿通孔を備えた接合板を用い、第１と第２の下階建物ユニットのそれぞれの側面にくびれ部付き突起部を設けるとともに、それら下階建物ユニットのそれぞれに設けた各突起部のくびれ部に係着し得る一対の係合部を備えた接合金物を用い、第１と第２の上階建物ユニットのそれぞれの側面にくびれ部付き突起部を設けるとともに、それら上階建物ユニットのそれぞれに設けた各突起部のくびれ部に係着し得る一対の係合部を備えた接合金物を用い、第１と第２の下階建物ユニットの間に接合金物を差し込み、接合金物の両係合部のそれぞれを第１と第２の下階建物ユニットの各突起部のくびれ部に係着するとともに、第１と第２の下階建物ユニットの上部に接合板を添設し、該接合板のピン挿通孔を両下階建物ユニットの上部のガイドピンに挿通し、該接合板の両側端部を両下階建物ユニットの上部に釘打ち固定し、第１と第２の上階建物ユニットを接合板を挟んで第１と第２の下階建物ユニットの上に搭載し、両上階建物ユニットのガイドピン挿通孔を両下階建物ユニットの上部のガイドピンに挿通するとともに、第１と第２の上階建物ユニットの間に接合金物を差し込み、接合金物の両係合部のそれぞれを第１と第２の上階建物ユニットの各突起部のくびれ部に係着した状態で、それらの両接合金物を連結ボルトで締結してなるようにしたものである。
【００１２】
請求項２に記載の本発明は、請求項１に記載の本発明において更に、前記建物ユニットが壁パネルを有し、この壁パネルの枠組材の側部に柱を備え、柱の上部にガイドピンを備えてなり、前記接合板の両側端部が壁パネルの枠組材に釘打ち固定されてなるようにしたものである。
【００１３】
請求項３に記載の本発明は、請求項１に記載の本発明において更に、前記建物ユニットが壁パネルを有し、この壁パネルの枠組材の側部に柱を備え、柱の上部にガイドピンを備えてなり、前記接合板の両側端部が柱の上端面に釘打ち固定されてなるようにしたものである。
【００１４】
請求項４に記載の本発明は、請求項２又は３に記載の本発明において更に、前記接合板が第１と第２の下階建物ユニットの柱の間に差し込まれる柱間隔設定部を備え、この柱間隔設定部によりそれら両下階建物ユニットの柱間隔を設定可能としてなるようにしたものである。
【００１７】
請求項１の本発明によれば下記（１）〜（３）の作用がある。
（１）相隣る下階建物ユニットを設置するに際し、接合板の両側のピン挿通孔を両下階建物ユニットの上部のガイドピンに挿通し、両下階建物ユニットの通りを調整して一直線上に定める。この状態で、接合板の両側端部を両下階建物ユニットの上部のそれぞれに釘打ち固定することにより、両下階建物ユニットの通りを簡易に一直線上に固定化できる。
【００１８】
（２）上述（１）により通りの整えられた両下階建物ユニットの上に両上階建物ユニットを搭載して固定するものであるから、両上階建物ユニットも両下階建物ユニットの通りに倣って簡易に一直線上に固定化される。
【００１９】
（３）第１と第２の下階建物ユニットの側面のくびれ部付き突起部に係着した接合金物と、第１と第２の上階建物ユニットの側面のくびれ部付き突起部に係着した接合金物とを連結ボルトで締結することにより、第１と第２の上階建物ユニットを第１と第２の下階建物ユニットに接合できるものとなる。従って、建物ユニットは、くびれ部付き突起部を側面に備えることだけにより上下階同士を接合し得るものとなり、建物ユニットの構造材の断面性能を脆弱化したり、内部構造を複雑化することを要しない。
【００２０】
請求項２の本発明によれば下記（４）の作用がある。
（４）接合板の両側端部は壁パネルの枠組材に釘打ち固定される。
【００２１】
請求項３の本発明によれば下記（５）の作用がある。
（５）接合板の両側端部は柱の上端面に釘打ち固定される。
【００２２】
請求項３の本発明によれば下記（６）の作用がある。
（６）相隣る両下階建物ユニットの柱の間に接合板の柱間隔設定部を差し込むことにより、それら両下階建物ユニットの柱間隔を予め定めた一定値に設定できる。従って、両下階建物ユニットの据付時に、両下階建物ユニットの柱間隔が予め定めた一定値より小さくなっているとき、接合板の柱間隔設定部をそれら両下階建物ユニットの柱の間に押し込むことにより、両下階建物ユニットの柱間隔を予め定めた一定値に矯正できる。
【００２３】
【発明の実施の形態】
図１はユニット建物を示す斜視図、図２は下階建物ユニットへの上階建物ユニットの接合構造を示す模式図、図３は図２の側面図、図４（Ａ）は柱脚金物を示す正面図であり、（Ｂ）はその側面図、図５（Ａ）は柱頭金物を示す正面図であり、（Ｂ）はその側面図、図６（Ａ）は接合金物を示す側面図であり、（Ｂ）はその正面図、図７は連結ボルトを示す正面図、図８は接合板の固定構造を示す模式図、図９（Ａ）は接合板を示す平面図であり、（Ｂ）はその正面図、図１０は接合板の固定構造の変形例を示す模式図、図１１は接合板の変形例を示す平面図、図１２は下階建物ユニットへの上階建物ユニットの接合構造の変形例を示す模式図、図１３は図１２の側面図、図１４は接合板の固定構造の変形例を示す模式図、図１５（Ａ）は接合板の変形例を示す平面図であり、（Ｂ）はその正面図である。
【００２４】
（第１実施形態）（図１〜図９）
ユニット建物１０は、図１に示す如く、基礎１の上に複数の建物ユニット１１を据付けて構築したものである。
【００２５】
（建物ユニット１１）
建物ユニット１１は、床構造体の上部に壁構造体を立設するに際し、軸組方式と耐力壁方式とを混用したものである。建物ユニット１１の壁構造体１２は、壁パネル１３の枠組材１５の側部に柱１４を釘打ち等により一体結合して構成され、柱１４の下部には柱脚金物５０が、柱１４の上部には柱頭金物６０がボルト結合されている。
【００２６】
柱脚金物５０は、図４に示す如く、柱１４の下部に挿着されるＵ字状の側板５１と、側板５１の底部に抱きかかえられる如くに溶接された底板５２と、側板５１の一方の側面に溶接されたくびれ部付き突起部５３とを有している。側板５１の両側部には必要により釘挿通孔５１Ａが設けられ、側板５１の底部と底板５２にはガイドピン挿通孔５２Ａが設けられている。くびれ部付き突起部５３は、頭部５３Ａとくびれ部５３Ｂとを備える。柱脚金物５０は、柱１４の下部に挿着され、側板５１の釘挿通孔５１Ａに打込まれる釘５４により柱１４に固定される。
【００２７】
柱頭金物６０も、図５に示す如く、柱脚金物５０と実質的に同一に構成され、柱１４の上部に挿着されるＵ字状の側板６１と、側板６１の天部に抱きかかえられる如くに溶接された天板６２と、側板６１の一方の側面に溶接されたくびれ部付き突起部６３とを有している。側板６１の両側部には必要により釘挿通孔６１Ａが設けられ、側板６１の天部には裏ナット６１Ｂが溶接され、この裏ナット６１Ｂにガイドピン６１Ｃが螺着可能とされている。くびれ部付き突起部６３は、頭部６３Ａとくびれ部６３Ｂとを備える。柱頭金物６０は、柱１４の上部に挿着され、側板６１の釘挿通孔６１Ａに挿通される釘６４により柱１４に固定される。
【００２８】
（下階建物ユニット１１Ａへの上階建物ユニット１１Ｂの接合構造）
第１と第２の上階建物ユニット１１Ｂ、１１Ｂを並置した状態で第１と第２の下階建物ユニット１１Ａ、１１Ａに接合するに際し、図６の接合金物７０と図８、図９の接合板８１と図７の連結ボルト９１とが用いられる。このとき、下階建物ユニット１１Ａ側に係着される接合金物７０を７０Ａとし、上階建物ユニット１１Ｂ側に係着される接合金物７０を７０Ｂとする。
【００２９】
即ち、第１と第２の下階建物ユニット１１Ａ、１１Ａと第１と第２の上階建物ユニット１１Ｂ、１１Ｂは以下の構造により接合される（図２、図３）。
(1) 第１と第２の下階建物ユニット１１Ａ、１１Ａの上に第１と第２の上階建物ユニット１１Ｂ、１１Ｂを順に吊り降ろして据付ける。このとき、下階建物ユニット１１Ａ、１１Ａの柱１４の柱頭金物６０と、上階建物ユニット１１Ｂ、１１Ｂの柱１４の柱脚金物５０との間に図９に示した接合板８１が介装される。そして、上階建物ユニット１１Ｂの柱１４の柱脚金物５０が備えるガイドピン挿通孔５２Ａが、下階建物ユニット１１Ａの柱１４の柱頭金物６０に設けてあるガイドピン６１Ｃに嵌合してガイドされる。
【００３０】
ここで、接合板８１は、第１と第２の上階建物ユニット１１Ｂ、１１Ｂが第１と第２の下階建物ユニット１１Ａ、１１Ａの上に据付けられる前に、図８に示す如く、両下階建物ユニット１１Ａ、１１Ａの柱頭金物６０の上面に添設され、該接合板８１のピン挿通孔８１Ａ、８１Ａを両下階建物ユニット１１Ａ、１１Ａの柱頭金物６０に設けてあるガイドピン６１Ｃに挿通し、更に、該接合板８１の両側端部の取着部８１Ｃ、８１Ｃ（釘８２が挿着される釘孔８１Ｄを有する）を両下階建物ユニット１１Ａ、１１Ａの壁パネル１３の枠組材１５の上枠１５Ａに釘打ち固定される。このとき、接合板８１の取着部８１Ｃは薄肉化され、枠組材１５の上枠１５Ａにおいて接合板８１の取着部８１Ｃが取着される部分は切欠形成され、接合板８１を固定する釘８２の頭部を壁パネル１３の上面レベル以下に納めるようにしている。壁パネル１３に釘打ち固定された接合板８１の上面は壁パネル１３の上面と同一レベルとなるように設定される。
【００３１】
(2) 接合板８１の中央のボルト挿通孔８１Ｂに、図７に示す連結ボルト９１を上階側から挿通する。このとき、連結ボルト９１は長手方向の中央に大径突条部９１Ａを備え、この突条部９１Ａを接合板８１のボルト挿通孔８１Ｂに係止せしめられる。
【００３２】
(3) 第１と第２の下階建物ユニット１１Ａ、１１Ａの相対する柱１４、１４のそれぞれに設けてある柱頭金物６０、６０の間に接合金物７０Ａを差し込み、接合金物７０の水平板７１Ｂの表面が形成する連結ボルト締結面７１Ｃをその下端部とする姿勢を付与する状態で、それら柱頭金物６０が備えるくびれ部付き突起部６３のくびれ部６３Ｂに接合金物７０Ａの相対する垂直板７１Ａのそれぞれに設けてある係合部７３を係着する。このとき、接合金物７０Ａは、くびれ部付き突起部６３のくびれ部６３Ｂを垂直板７１Ａの導入溝７４Ａに通し、このくびれ部６３Ｂを導入溝７４Ａから垂直板７１Ａの係合部７３に導入するものとする。このとき、接合金物７０Ａの水平板７１Ｂに設けてあるボルト挿通孔７５を前記(2) の連結ボルト９１の下端ねじ部に通し、連結ボルト９１のこの突出ねじ部にナット９２Ａを仮止めしておく。
【００３３】
(4) 第１と第２の上階建物ユニット１１Ｂ、１１Ｂの相対する柱１４、１４のそれぞれに設けてある柱脚金物５０、５０の間に接合金物７０Ｂを差し込み、接合金物７０の水平板７１Ｂの表面が形成する連結ボルト締結面７１Ｃをその上端部とする姿勢を付与する状態で、それら柱脚金物５０が備えるくびれ部付き突起部５３のくびれ部５３Ｂに接合金物７０Ｂの相対する垂直板７１Ａのそれぞれに設けてある係合部７３を係着する。このとき、接合金物７０Ｂは、くびれ部付き突起部５３のくびれ部５３Ｂを垂直板７１Ａの導入溝７４Ａに通し、このくびれ部５３Ｂを導入溝７４Ａから垂直板７１Ａの係合部７３に導入するものとする。このとき、接合金物７０Ｂの水平板７１Ｂに設けてあるボルト挿通孔７５を前記(2) の連結ボルト９１の上端ねじ部に通し、連結ボルト９１のこの突出ねじ部にナット９２Ｂを仮止めしておく。
【００３４】
(5) 接合金物７０Ａと接合板８１と接合金物７０Ｂに貫通している連結ボルト９１の両端ねじ部に仮止めしたナット９２Ａ、９２Ｂを締結する。
【００３５】
従って、本実施形態によれば、以下の作用がある。
▲１▼相隣る下階建物ユニット１１Ａ、１１Ａを設置するに際し、接合板８１の両側のピン挿通孔８１Ａを両下階建物ユニット１１Ａ、１１Ａの壁パネル１３の柱１４の上部のガイドピン６１Ｃに挿通し、両下階建物ユニット１１Ａ、１１Ａの壁パネル１３の通りを調整して一直線上に定める。この状態で、接合板８１の両側端部を両下階建物ユニット１１Ａ、１１Ａの壁パネル１３の上部のそれぞれに釘打ち固定することにより、両下階建物ユニット１１Ａ、１１Ａの壁パネル１３の通りを簡易に一直線上に固定化できる。
【００３６】
▲２▼上述▲１▼により通りの整えられた両下階建物ユニット１１Ａ、１１Ａの上に両上階建物ユニット１１Ｂ、１１Ｂを搭載して固定するものであるから、両上階建物ユニット１１Ｂ、１１Ｂも両下階建物ユニット１１Ａ、１１Ａの通りに倣って簡易に一直線上に固定化される。
【００３７】
▲３▼第１と第２の下階建物ユニット１１Ａ、１１Ａの側面のくびれ部付き突起部６３に係着した接合金物７０Ａと、第１と第２の上階建物ユニット１１Ｂ、１１Ｂの側面のくびれ部付き突起部５３に係着した接合金物７０Ｂとを連結ボルト９１で締結することにより、第１と第２の上階建物ユニット１１Ｂ、１１Ｂを第１と第２の下階建物ユニット１１Ａ、１１Ａに接合できるものとなる。従って、建物ユニット１１は、くびれ部付き突起部５３、６３を側面に備えることだけにより上下階同士を接合し得るものとなり、建物ユニット１１の構造材の断面性能を脆弱化したり、内部構造を複雑化することを要しない。
【００３８】
（第２実施形態）（図１０、図１１）
第２実施形態が第１実施形態と異なる点は、接合板８１に代えて接合板８３を用い、この接合板８３の両側端部を相隣る下階建物ユニット１１Ａ、１１Ａの壁パネル１３の柱１４の上端面に釘打ち固定したことにある。
【００３９】
即ち、接合板８３は、図１０に示す如く、第１と第２の上階建物ユニット１１Ｂ、１１Ｂが第１と第２の下階建物ユニット１１Ａ、１１Ａの上に据付けられる前に、両下階建物ユニット１１Ａ、１１Ａの柱頭金物６０の上面に添設され、該接合板８３の両側のピン挿通孔８３Ａ、８３Ａを両下階建物ユニット１１Ａ、１１Ａの柱頭金物６０に設けられているガイドピン６１Ｃに挿通し、更に、該接合板８３の両側端部の取着部８３Ｃ、８３Ｃ（釘８４が挿着される釘孔８３Ｄを有する）を両下階建物ユニット１１Ａ、１１Ａの柱１４における柱頭金物６０の天部を挟む両側上端面に釘打ち固定される。このとき、接合板８３の取着部８３Ｃに設けられる釘孔８３Ｄは釘８４の頭部を納めるように座ぐり成形され、釘８４の頭部を壁パネル１３の上面レベル以下に納めるようにしている。壁パネル１３の柱１４に釘打ち固定された接合板８３の上面は壁パネル１３の上面と同一レベルとなるように設定される。尚、接合板８３は、接合板８１と同様に、連結ボルト９１のためのボルト挿通孔８３Ｂを備える。
【００４０】
従って、本実施形態によれば、第１実施形態において前述した▲１▼〜▲３▼と同一の作用を奏することができる。
【００４１】
（第３実施形態）（図１２〜図１５）
第３実施形態が第１実施形態、第２実施形態と異なる点は、図１２〜図１４に示す如く、接合板８１、８３に代えて接合板１０１を用いたこと、第１と第２の下階建物ユニット１１Ａ、１１Ａの柱１４、１４に設けてある柱頭金物６０、６０の間に接合板１０１の柱間隔設定部１０２を差し込み可能とするために、接合金物７０Ａが係着されるくびれ部付き突起部６３を側板６１の側面の天部から長さＬ（図１２）離隔した位置に設けたことにある。
【００４２】
接合板１０１は、接合板８３と同様に、図１５に示す如く、第１と第２の上階建物ユニット１１Ｂ、１１Ｂが第１と第２の下階建物ユニット１１Ａ、１１Ａの上に据付けられる前に、両下階建物ユニット１１Ａ、１１Ａの柱頭金物６０の上面に添設され、該接合板１０１の下面中央に設けてある柱間隔設定部１０２を両下階建物ユニット１１Ａ、１１Ａの柱１４、１４に設けてある柱頭金物６０、６０の間に差し込んで両下階建物ユニット１１Ａ、１１Ａの据付間隔を予め定めてある一定値Ｗ（図１２）に設定するとともに、該接合板１０１の両側のピン挿通孔１０１Ａ、１０１Ａを両下階建物ユニット１１Ａ、１１Ａの柱頭金物６０に設けられているガイドピン６１Ｃに挿通する。
【００４３】
そして更に、該接合板１０１の両側端部の取着部１０１Ｃ、１０１Ｃ（釘１０３が挿着される釘孔１０１Ｄを有する）を両下階建物ユニット１１Ａ、１１Ａの柱１４における柱頭金物６０の天部を挟む両側上端面に釘打ち固定される。このとき、接合板１０１の取着部１０１Ｃに設けられる釘孔１０１Ｄは釘１０３の頭部を納めるように座ぐり成形され、釘１０３の頭部を壁パネル１３の上面レベル以下に納めるようにしている。壁パネル１３の柱１４に釘打ち固定された接合板１０１の上面は壁パネル１３の上面と同一レベルとなるように設定される。尚、接合板１０１は、接合板８１と同様に、連結ボルト９１のためのボルト挿通孔１０１Ｂを備える。
【００４４】
ここで、接合板１０１の柱間隔設定部１０２は、図１５に示す如く、長手方向の下面中央に 2枚の差込板１０２Ａ、１０２Ａを溶接され、両差込板１０２Ａ、１０２Ａの外側間隔Ｗを両下階建物ユニット１１Ａ、１１Ａの上述の如くに設定すべき据付間隔Ｗに合致させている。そして、両差込板１０２Ａ、１０２Ａはそれらの先端外面にテーパ部１０２Ｂを付与され、両下階建物ユニット１１Ａ、１１Ａの据付間隔が予め定めた一定値より小さくなっているときにも、柱間隔設定部１０２をそれら下階建物ユニット１１Ａ、１１Ａの柱頭金物６０、６０の間に比較的小さな力で押し込みできるように差込性の良好を図っている。
【００４５】
また、接合板１０１の柱間隔設定部１０２は、接合板１０１の長手方向に沿う両外縁部沿いに、両差込板１０２Ａ、１０２Ａに挟持される補強板１０２Ｃ、１０２Ｃを溶接され、両差込板１０２Ａ、１０２Ａの上述の外側間隔Ｗを安定保持可能としている。
【００４６】
従って、本実施形態によれば、第１実施形態において前述した▲１▼〜▲３▼と同一の作用を奏することに加え、以下の如くの作用を奏することができる。
即ち、相隣る両下階建物ユニット１１Ａ、１１Ａの柱１４の間に接合板１０１の柱間隔設定部１０２を差し込むことにより、それら両下階建物ユニット１１Ａ、１１Ａの柱間隔を予め定めた一定値に設定できる。従って、両下階建物ユニット１１Ａ、１１Ａの据付時に、両下階建物ユニット１１Ａ、１１Ａの柱間隔が予め定めた一定値より小さくなっているとき、接合板１０１の柱間隔設定部１０２をそれら両下階建物ユニット１１Ａ、１１Ａの柱１４の間に押し込むことにより、両下階建物ユニット１１Ａ、１１Ａの柱間隔を予め定めた一定値に矯正できる。
【００４７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明は建物ユニットが床構造体に柱を接合した軸組式のもの、床構造体に壁パネルを接合した壁式のものにも適用できる。また、本発明は、ユニット建物に限らず、広く一般の建物にも適用できる。
【００４８】
【発明の効果】
以上のように本発明によれば、壁パネルの接合構造において、相隣る両壁パネルの通りを簡易に一直線上に納めることができる。
【００４９】
また、本発明によれば、壁パネルの接合構造において、相隣る両壁パネルの据付間隔を予め定めた一定値に設定するとともに、相隣る両壁パネルの通りを簡易に一直線上に納めることができる。
【００５０】
また、本発明によれば、ユニット建物において、相隣る両建物ユニットの通りを簡易に一直線上に納めることができる。
【００５１】
また、本発明によれば、ユニット建物において、相隣る両建物ユニットの据付間隔を予め定めた一定値に設定するとともに、相隣る両建物ユニットの通りを簡易に一直線上に納めることができる。
【図面の簡単な説明】
【図１】図１はユニット建物を示す斜視図である。
【図２】図２は下階建物ユニットへの上階建物ユニットの接合構造を示す模式図である。
【図３】図３は図２の側面図である。
【図４】図４（Ａ）は柱脚金物を示す正面図であり、（Ｂ）はその側面図である。
【図５】図５（Ａ）は柱頭金物を示す正面図であり、（Ｂ）はその側面図である。
【図６】図６（Ａ）は接合金物を示す側面図であり、（Ｂ）はその正面図である。
【図７】図７は連結ボルトを示す正面図である。
【図８】図８は接合板の固定構造を示す模式図である。
【図９】図９（Ａ）は接合板を示す平面図であり、（Ｂ）はその正面図である。
【図１０】図１０は接合板の固定構造の変形例を示す模式図である。
【図１１】図１１は接合板の変形例を示す平面図である。
【図１２】図１２は下階建物ユニットへの上階建物ユニットの接合構造の変形例を示す模式図である。
【図１３】図１３は図１２の側面図である。
【図１４】図１４は接合板の固定構造の変形例を示す模式図である。
【図１５】図１５（Ａ）は接合板の変形例を示す平面図であり、（Ｂ）はその正面図である。
【符号の説明】
１０  ユニット建物
１１  建物ユニット
１１Ａ  下階建物ユニット
１１Ｂ  上階建物ユニット
１３  壁パネル
１４  柱
１５  枠組材
５０  柱脚金物
５２Ａ  ガイドピン挿通孔
５３  くびれ部付き突起部
５３Ａ  頭部
５３Ｂ  くびれ部
６０  柱頭金物
６１Ｃ  ガイドピン
６３  くびれ部付き突起部
６３Ａ  頭部
６３Ｂ  くびれ部
７０、７０Ａ、７０Ｂ  接合金物
７３  係合部
７４Ａ  導入溝
８１、８３、１０１  接合板
８１Ａ、８３Ａ  ピン挿通孔
８２、８４  釘
９１  連結ボルト
１０２  柱間隔設定部
【図１】
0003742512.tif 000002
【図２】
0003742512.tif 000003
【図３】
0003742512.tif 000004
【図４】
0003742512.tif 000005
【図５】
0003742512.tif 000006
【図６】
0003742512.tif 000007
【図７】
0003742512.tif 000008
【図８】
0003742512.tif 000009
【図９】
0003742512.tif 000010
【図１０】
0003742512.tif 000011
【図１１】
0003742512.tif 000012
【図１２】
0003742512.tif 000013
【図１３】
0003742512.tif 000014
【図１４】
0003742512.tif 000015
【図１５】
0003742512.tif 000016